(57)【要約】 【課題】  屋根瓦の上を歩行することによって、屋根勾配による高さや滑りを体験する可搬式瓦歩行体験装置を提供する。【解決手段】  瓦１００が載置可能で、傾斜角度が調節自在な板材２１と、板材２１を支持する支持部としての枠部２２および脚部２３、２４とを有する架台２と、板材２１の上面部に所定間隔で配設され、瓦１００の軒先側の谷部の外縁部１００ａを支持する桟木２１と、瓦１００の棟側の下面部１００ｂ、１００ｃ、１００ｄをそれぞれ形状に沿って支持する台座３２、３３、３４とを有する瓦支持部３と、を備えることを特徴とする。【選択図】  図１
2014202975.tif 000002
【特許請求の範囲】
【請求項１】
屋根勾配による高さや滑りを体験する可搬式瓦歩行体験装置であって、
瓦が載置可能で、傾斜角度が調節自在な板材と、前記板材を支持する支持部とを有する架台と、
前記板材の上面部に所定間隔で配設され、前記瓦の軒先側の外縁部を支持する桟木と、前記瓦の棟側の下面部を形状に沿って支持する台座とを有する瓦支持手段と、
を備えることを特徴とする可搬式瓦歩行体験装置。
【請求項２】
前記傾斜角度は、屋根勾配に合わせて設定されている、
ことを特徴とする請求項１に記載の可搬式瓦歩行体験装置。
【発明の詳細な説明】
【技術分野】
【０００１】
この発明は、屋根瓦の上を歩行することによって、屋根勾配による高さや滑りを体験する可搬式瓦歩行体験装置に関する。
【背景技術】
【０００２】
電力会社における配電作業において、家屋の屋根に上って作業をする場合がある。屋根の上での作業は、足場が不安定な高所作業となるため、高度な注意力を要する。ところが、家屋の形状や地域的特性などによって屋根材は異なっており、例えば、瓦や、スレート板や軟鋼板の波板や平板などが使用されており、屋根の傾斜の差異や、屋根材の材質の差異によって体感される高さや、滑り易さが異なる。
【０００３】
そこで、屋根に上って安全に作業するためには、瓦の上を歩いて高さや滑り易さを把握しておく必要がある。このためには、屋根勾配を変えたり、瓦の種類を交換したりして、瓦の高さや滑り易さを体験しておくことが有効である。
【０００４】
ところで、家屋への屋根材の施工については、瓦葺木造勾配屋根の瓦葺下地工事における雨漏り防止方法に関する技術が知られている（例えば、特許文献１参照。）。この技術は、従来より大型の大型ひっかけ桟を使用し、両面粘着コーキング剤を下面にはさんだコーキングメヨセのところでのみ野地板をとおして、たる木に釘打ち固定するようにし、ひっかけ桟瓦の釘もアスファルトルーフィングを傷つけない寸のものにするものである。また、勾配屋根の改修方法、及び勾配屋根に関する技術が知られている（例えば、特許文献２参照。）。この技術は、屋根材の支持金物を確実に垂木に固定することで支持金物の堅固な固定が可能になるものである。
【先行技術文献】
【特許文献】
【０００５】
【特許文献１】特開２０００−００８５５６号公報
【特許文献２】特開２０１２−１２２２７１号公報
【発明の概要】
【発明が解決しようとする課題】
【０００６】
しかしながら、特許文献１、２に記載された技術はいずれも、実際の家屋の屋根を施工するための技術であり、すなわち、恒久的に屋根を施工するための技術である。
【０００７】
屋根勾配を変えたり、瓦の種類を交換したりして瓦の高さや滑り易さを体験するためには、勾配の異なる屋根や瓦の種類が異なる屋根に上る必要があり、手間と時間とを要するものであった。そこで、本願の発明者は、瓦の歩行体験するために、簡易な構成で、屋根勾配を変えたり、瓦の種類を交換したりして歩行を体験するために、屋根勾配が変更自在で、瓦の着脱が容易な可搬式瓦歩行体験装置を考えるにいたった。ここで、可搬式とするのは、場所を選ばず、どこでも瓦歩行体験をできるようにするためである。
【０００８】
そこで、この発明は、前記の課題を解決し、簡易な構成で勾配を調節自在で、瓦の着脱が容易な可搬式瓦歩行体験装置を提供することを目的としている。
【課題を解決するための手段】
【０００９】
前記の課題を解決するために、請求項１に記載の発明は、屋根勾配による高さや滑りを体験する可搬式瓦歩行体験装置であって、瓦が載置可能で、傾斜角度が調節自在な板材と、前記板材を支持する支持部とを有する架台と、前記板材の上面部に所定間隔で配設され、前記瓦の軒先側の外縁部を支持する桟木と、前記瓦の棟側の下面部を形状に沿って支持する台座とを有する瓦支持手段と、を備えることを特徴とする可搬式瓦歩行体験装置である。
【００１０】
この発明によれば、板材の上面部に所定間隔で配設された桟木によって、瓦の軒先側の外縁部が支持され、台座によって瓦の棟側の下面部が形状に沿って支持される。そして、このような瓦支持手段が配設された架台の板材は傾斜角度が調節自在となっている。
【００１１】
請求項２に記載の発明は、請求項１に記載の可搬式瓦歩行体験装置において、前記傾斜角度は、屋根勾配に合わせて設定されている、ことを特徴とする。
【発明の効果】
【００１２】
請求項１に記載の発明によれば、板材の上面部に所定間隔で配設された桟木によって瓦の軒先側の外縁部が支持され、台座によって瓦の棟側の下面部が形状に沿って支持される。すなわち、傾斜角度が調節自在な板材に配設された瓦支持手段によって瓦が支持されているので、板材の傾斜角度を調節することにより、屋根勾配の異なる瓦の歩行を体験することができるようになる。
【００１３】
また、瓦は、板材の上面部に所定間隔で配設された桟木によって瓦の軒先側の外縁部が支持され、台座によって瓦の棟側の下面部が形状に沿って支持されるように配設すればよいので、高度な熟練を要さず、誰でも容易に瓦を設置することができる。
【００１４】
さらに、瓦は下面側を桟木や台座によって支持されているだけであるので、着脱が容易であり、設置や撤去に要する手間や時間を削減できる。
【００１５】
すなわち、屋根勾配を変えたり、瓦の種類を交換したりして瓦の高さや滑り易さを体験するために、勾配の異なる屋根や瓦の種類が異なる屋根に上る必要がなく、瓦の歩行体験に要する手間と時間とを削減できる。
【００１６】
請求項２に記載の発明によれば、屋根の勾配に合わせて傾斜を調節自在であるので、屋根の勾配の差による瓦の滑りを体験することができる。
【図面の簡単な説明】
【００１７】
【図１】この発明の実施の形態に係る可搬式瓦歩行体験装置を示す斜視図である。
【図２】図１の可搬式瓦歩行体験装置を折り畳んだ状態を示す斜視図である。
【図３】図１の可搬式瓦歩行体験装置の脚部の拡大図である。
【図４】図１の可搬式瓦歩行体験装置の瓦支持手段の正面図である。
【図５】図４の可搬式瓦歩行体験装置の瓦支持手段によって瓦を支持した状態を示す正面図である。
【図６】図１の可搬式瓦歩行体験装置に瓦を配設した状態を示す斜視図である。
【発明を実施するための形態】
【００１８】
つぎに、この発明の実施の形態について図面を用いて詳しく説明する。
【００１９】
図１ないし図６は、この発明の実施の形態を示している。可搬式瓦歩行体験装置１は、瓦１００の上を歩行することによって、高さや滑り易さを、場所を選ばずに体験するものであり、図１に示すように、主として、架台２と、瓦支持手段としての瓦支持部３とを備えている。
【００２０】
架台２は、傾斜角度が調節自在なものであり、図１、図２に示すように、主として、板材２１と、支持部としての枠部２２および脚部２３、２４を備えている。ここで、この実施の形態においては、図６に示すように、架台２上に、瓦１００１〜１００８を２列、４段に並べて配設するものとする。
【００２１】
板材２１は、瓦１００１〜１００８が載置可能で、傾斜角度が調節自在なものであり、横約１０００ｍｍ、縦約６００ｍｍの長方形状の木材で構成されている。板材２１は、上面部に瓦１００１〜１００８を載置した状態で、その上を歩行可能な強度を有している。この板材２１は、一方の短辺側（下端側）を軸として、蝶番を介して枠部２２に対して回動自在（開閉自在）に配設されている。また、板材２１の長辺側両側面部には、後述する脚部２３、２４の係止孔２３ａ、２４ａ（図示略）と係止可能な係止孔（図示略）が形成されている。すなわち、板材２１の係止孔と脚部２３、２４の係止孔２３ａ、２４ａとの位置を合わせた状態で、それぞれにネジを挿通して締結できるようになっており、枠部２２に対して所定の角度で固定されるようになっている。さらに、板材２１を、枠部２２側に沿うように閉じた状態では省スペースとなり、運搬や収納に適している。
【００２２】
枠部２２は、板材２１の外周と同等の大きさに設定されており、具体的には、長方形状の外枠と、その内側に短手方向に平行に配設された複数の梁とを有する構成となっている。枠部２２の一方の短辺側側面部には、板材２１の一方の短辺側側面部が蝶番を介して回動自在に配設されている。
【００２３】
脚部２３は、長さ数１００ｍｍの棒状の木材で構成されており、体験者が歩行する板材２１を脚部２４とともに支持可能な強度を有している。脚部２３は、一端側が枠部２２の一方の長辺側側面部に回動自在に配設されており、図３に示すように、自由端側には、所定間隔で係止孔２３ａが形成されている。この係止孔２３ａを板材２１の係止孔と位置を合わせた状態でネジによって締結し固定することによって、板材２１を枠部２２に対して所定の角度に傾斜させることができるようになっている。ここでは、係止孔２３ａとしては、板材２１の傾斜角度が屋根勾配と合うように、４寸勾配用係止孔、４．５寸勾配用係止孔、５寸勾配用係止孔、５．５寸勾配用係止孔、６寸勾配用係止孔、６．５寸勾配用係止孔が形成されている。ここで、屋根の勾配は、水平方向（底辺）を１０としたときの高さによって示されるものである。例えば、係止孔２３ａとして４．５寸勾配用係止孔を板材２１の係止孔と合わせてネジによって締結した場合は、板材２１の傾斜が４．５寸勾配となるように設定されている。すなわち、所望の勾配用係止孔２３ａによって板材２１を固定することによって、板材２１の勾配が所望の屋根勾配となるように設定されている。また、脚部２３は、枠部２２に沿った状態、すなわち、閉じた状態では省スペースとなり、運搬や収納に適している。
【００２４】
脚部２４は、脚部２３と同様に構成されており、脚部２３と対向する用に配設されており、具体的には、一端側が枠部２２の他方の長辺側側面部に回動自在に配設されており、例えば、板材２１の傾斜を４．５寸勾配とする場合は、係止孔２３ａ、２４ａはいずれも４．５寸勾配用係止孔を板材２１の係止孔と合わせてネジによって締結するようになっている。
【００２５】
このように脚部２３、２４は、枠部２２の長辺側両側面部に対向するように配設されており、板材２１の長辺側両側面部の係止孔と固定可能となっている。
【００２６】
つまり、支持部としての枠部２２および脚部２３、２４によって、板材２１は傾斜角度が調整自在に支持されている。
【００２７】
また、板材２１の長辺側側面部には、取手状の把持部２５、２６が配設されており、この把持部２５、２６を把持した状態で、架台２の角度を調節したり、可搬式瓦歩行体験装置１を運搬したりできるようになっている。
【００２８】
瓦支持部３は、図１、図２に示すように、架台２の板材２１の上面部に所定間隔で配設され、図４、図５に示すように、主として、瓦１００の頭側（軒先側）の谷部の外縁部１００ａを支持する桟木３１と、瓦１００の棟側の下面部１００ｂを形状に沿って支持する第１の台座３２と、第２の台座３３と、第３の台座３４とを有している。
【００２９】
桟木３１は、瓦１００が軒先側に滑り落ちることを防止するものであり、図１、図２に示すように、板材２１の短手方向と略同等の長さの木材で構成されており、板材２１の短手方向に延びるように所定間隔で配設されている。この桟木３１は、釘によって板材２１に固定されている。ここで、桟木３１の配設間隔は、図６に示すように、板材２１に瓦１００１〜１００８を２列、４段に並べて配設した際に、各段の瓦１００の軒先側が位置する間隔に設定されており、例えば、瓦１００の長さが３０５ｍｍの場合は約２６５ｍｍに設定されている。図３、図５に示すように、桟木３１の板材２１の傾斜の上側、すなわち、棟側に位置する側面部は、板材２１上に配設された瓦１００の軒先側の谷部の外縁部１００ａと当接することによって、瓦１００が軒先側に滑り落ちることを防止するようになっている。
【００３０】
第１の台座３２は、図３ないし図５に示すように、平面形状が台形の木材で構成されており、各桟木３１の軒先側と接するように配設されている。第１の台座３２の上面部３２ａは、板材２１と略平行となっており、瓦１００１の桟側の下面部１００１ｂを下方から支持可能となっている。また、第１の台座３２の斜面部３２ｂは、瓦１００１の桟側から谷部にかけて湾曲した下面部１００１ｃと接触可能な形状となっており、当接することによって下方から支持可能となっている。この第１の台座３２は、板材２１に釘によって固定されている。
【００３１】
第２の台座３３は、平面形状が直角三角形の木材を、直角を挟む１辺同士が接するように配設した形状に形成されて、各桟木３１の軒先側と接するように配設されており、隣接する瓦１００１、１００２を下方から支持するようになっている。具体的には、第２の台座３３は、斜面３３ａによって瓦１００１の桟側と対向する側（差し込み側）の下面部１００１ｄを下方から支持し、斜面３３ｂによって瓦１００２の桟側の下面部１００２ｃを下方から支持可能となっている。すなわち、斜面３３ａは、瓦１００１の谷部から差し込み側にかけて湾曲した下面部１００１ｄと接触可能な形状となっており、当接することによって下方から支持可能となっている。また、斜面３３ｂは、瓦１００２の桟側から谷部にかけて湾曲した下面部１００２ｃと接触可能な形状となっており、当接することによって下方から支持可能となっている。この第２の台座３３は、板材２１に釘によって固定されている。
【００３２】
第３の台座３４は、平面形状が直角三角形の木材で構成されており、各桟木３１の軒先側と接するように配設されている。第３の台座３４の斜面部３４ａは、瓦１００２の桟側から谷部にかけて湾曲した下面部１００２ｄと接触可能な形状となっており、当接することによって下方から支持可能となっている。この第３の台座３４は、板材２１に釘によって固定されている。
【００３３】
このような瓦支持部３によって、隣接する瓦１００１、１００２は次のように支持されている。すなわち、具体的には、図５に示すように、瓦１００１の軒先側は板材２１上に載置されており、瓦１００１の軒先側の谷部の外縁部１００１ａが桟木３１の棟側の側面部と当接することによって支持され、板材２１上を滑り落ちることが防止されている。また、瓦１００１の桟側の下面部１００１ｂは、第１の台座３２の上面部３２ａと当接することによって下方から支持され、瓦１００１の桟側から谷部へ湾曲した下面部１００１ｃは、第１の台座３２の斜面部３２ｂと当接することによって下方から支持され、瓦１００１の谷部から差し込み側へ湾曲した下面部１００１ｄは、第２の台座３３の斜面部３３ａと当接することによって下方から支持されている。また、瓦１００２の軒先側は板材２１上に載置されており、瓦１００２の軒先側の谷部の外縁部１００２ａが桟木３１の棟側の側面部と当接することによって支持され、板材２１上を滑り落ちることが防止されている。また、瓦１００２の桟側の下面部１００２ｂは、瓦１００１の差し込み側の上面部と当接することによって下方から支持され、瓦１００２の桟側から谷部へ湾曲した下面部１００２ｃは、第２の台座３３の斜面部３３ｂと当接することによって下方から支持され、瓦１００２の谷部から差し込み側へ湾曲した下面部１００２ｄは、第３の台座３４の斜面部３４ａと当接することによって下方から支持されている。
【００３４】
つづいて、可搬式瓦歩行体験装置１の設置方法および可搬式瓦歩行体験装置１を用いた瓦１００の歩行体験方法について説明する。
【００３５】
まず、折り畳んだ状態の可搬式瓦歩行体験装置１と、瓦１００が体験場所に運搬される。このとき、可搬式瓦歩行体験装置１は、把持部２５、２６を把持することによって容易に運搬される。
【００３６】
体験場所に到着すると、可搬式瓦歩行体験装置１が地面に置かれ、脚部２３、２４が立ちあげられる。そして、例えば、４寸勾配用係止孔２３ａ、２４ａと板材２１の係止孔が位置合わせされて、係止具によって係止される。このとき、把持部２５、２６を把持することによって板材２１は容易に回動されて角度が調節される。これにより、板材２１の勾配が４．５寸に設定される。
【００３７】
そして、板材２１に瓦１００１〜１００８が載置される。具体的には、図６において、最下段（１段目）左側の瓦１００１が、軒先側の谷部の外縁部１００１ａが板材２１の１段目の桟木３１と当接するように配設される。このとき、瓦１００１の棟側の下面部１００１ｂ、１００１ｃ、１００１ｄが台座３２、３３と当接するように載置される。
【００３８】
そして、瓦１００１の差し込み側の上に、右側の瓦１００２の軒先側が重なり、軒先側の谷部の外縁部１００２ａが板材２１の１段目の桟木３１と当接し、瓦１００２の棟側の下面部１００２ｂ、１００２ｃ、１００２ｄが台座３３、３４と当接するように載置される。
【００３９】
そして、２段目左側の瓦１００３が、軒先側の谷部の外縁部１００３ａが２段目の桟木３１と当接し、瓦１００１の棟側と一部が重なり、瓦１００３の棟側の下面部１００３ｂ、１００３ｃ、１００３ｄが２段目の台座３２、３３と当接するように載置される。
【００４０】
そして、２段目右側の瓦１００４が、瓦１００２の差し込み側の上に瓦１００４の軒先側が重なり、瓦１００３の差し込み側の上に瓦１００４の桟側が重なり、軒先側の谷部の外縁部１００４ａが２段目の桟木３１と当接し、瓦１００４の棟側の下面部１００４ｂ、１００４ｃ、１００４ｄが台座３３、３４と当接するように載置される。
【００４１】
同様に、瓦１００５〜１００８が架台２上に配設される。
【００４２】
そして、４．５寸勾配に設定された架台２上に配設された瓦１００１〜１００８上を体験者が歩いて高さや滑り易さが体験される。
【００４３】
つぎに、架台２上に瓦１００１〜１００８が載置されたまま、４．５寸勾配用係止孔２３ａ、２４ａと板材２１の係止孔を固定していた係止具が取り外され、５．５寸勾配用係止孔２３ａ、２４ａと板材２１の係止孔が位置合わせされて、係止具によって係止される。これにより、板材２１の勾配が５．５寸に変更される。
【００４４】
そして、５．５寸勾配に設定された架台２上に配設された瓦１００１〜１００８上を体験者が歩いて高さや滑り易さが体験される。
【００４５】
つぎに、架台２上に瓦１００１〜１００８が載置されたまま、５．５寸勾配用係止孔２３ａ、２４ａと板材２１の係止孔を固定していた係止具が取り外され、４．５寸勾配用係止孔２３ａ、２４ａと板材２１の係止孔が位置合わせされて、係止具によって係止される。これにより、板材２１の勾配が４．５寸に戻される。さらに、瓦１００１〜１００８上に水が撒かれて、その上を体験者が歩いて滑り易さが体験される。
【００４６】
また、瓦の種類を交換する場合は、架台２上に載せている瓦１００１〜１００８が取り外されて、他の種類の瓦１００が同様に架台２上に配設されて、その瓦１００の上を体験者が歩いて滑り易さが体験される。このとき、瓦１００は種類が異なっても同程度の大きさであれば同様に容易に配設される。
【００４７】
このようにして、可搬式瓦歩行体験装置１によって、架台２上に瓦１００を載置した状態で架台２の勾配が変更されたり、瓦１００の種類が変更されたりして体験者が歩くことによってその差異が体験される。
【００４８】
以上のように、この可搬式瓦歩行体験装置１によれば、板材２１の上面部に所定間隔で配設された桟木３１によって、瓦１００の軒先側の谷部の外縁部１００ａが支持され、台座３２、３３、３４によって瓦１００の棟側の下面部１００ｂが形状に沿って下方から支持される。このため、可搬式瓦歩行体験装置１は、瓦１００を瓦支持部３上に並べて置くだけで容易に配設することができる。すなわち、瓦１００を架台２上に配設するために、特殊な工具や技術を必要としないため、誰でも簡単に可搬式瓦歩行体験装置１を使用して瓦の歩行を体験することができる。
【００４９】
また、瓦１００は瓦支持部３によって下面側から支持されているだけであるので、着脱が容易であり、設置や撤去に要する手間と時間とを削減できる。このため、瓦の種類を交換して瓦上を歩行して、種類による滑り易さの違いを体験することも容易である。
【００５０】
さらに、このような瓦支持部３が配設された架台２は、係止孔２３ａ、２４ａによって傾斜角度が屋根勾配に合わせて、例えば、４寸勾配、４．５寸勾配、５寸勾配、５．５寸勾配、６寸勾配、６．５寸勾配と調節自在となっている。すなわち、瓦支持部３によって瓦１００を支持した架台２の傾斜角度を変えることによって、屋根勾配の異なる瓦１００上を歩行して、屋根勾配の違いによる滑り易さの違いを体験することも容易である。
【００５１】
このように、屋根勾配を変えたり、瓦の種類を交換したりして瓦の高さや滑り易さを体験するために、勾配の異なる屋根や瓦の種類が異なる屋根に上る必要がなく、瓦の歩行体験に要する手間と時間とを削減できる。
【００５２】
さらにまた、この可搬式瓦歩行体験装置１によれば、場所を選ばず、どこでも瓦歩行体験が可能である。
【００５３】
以上、この発明の実施の形態について説明したが、具体的な構成は、これらの実施の形態に限られるものではなく、この発明の要旨を逸脱しない範囲の設計の変更等があっても、この発明に含まれる。例えば、瓦支持部３は、瓦１００の軒先側の谷部の外縁部１００ａを支持する桟木３１と、瓦１００の棟側の下面部１００ｂを形状に沿って支持する第１の台座３２と、第２の台座３３と、第３の台座３４とを有しているものとして説明したが、この構成に限定されないことはもちろんである。具体的には、瓦支持部３は、瓦１００の軒先側の谷部の外縁部１００ａが軒先側に滑り落ちないように支持し、瓦１００の棟側の下面部１００ｂを形状に沿って下方から支持する機能を有するものであればよい。
【符号の説明】
【００５４】
１              可搬式瓦歩行体験装置
２              架台
２１            板材
２２            枠部（支持部）
２３、２４      脚部（支持部）
３              瓦支持部（瓦支持手段）
３１            桟木
３２            第１の台座
３３            第２の台座
３４            第３の台座
１００          瓦
【図１】
2014202975.tif 000003
【図２】
2014202975.tif 000004
【図３】
2014202975.tif 000005
【図４】
2014202975.tif 000006
【図５】
2014202975.tif 000007
【図６】
2014202975.tif 000008